(57)【要約】【課題】コネクタハウジング及びコネクタカバーの間のガタ付きを確実に抑制することができるコネクタを提供する。【解決手段】電線端末の端子金具７が収容されるコネクタハウジング２と、このコネクタハウジング２の外周側を覆う外套フード３と、コネクタハウジング２の電線６の引き出し側に装着されるコネクタカバー５と、このコネクタカバー５をコネクタハウジング２に保持するロック手段２１、２３とを備えたコネクタ１である。コネクタハウジング２には電線引き出し側にコネクタカバー５との合わせ壁１１が設けられ、コネクタカバー５には、合わせ壁１１に当接する当接合わせ面２９が設けられ、合わせ壁１１と当接合わせ面２９との間に、コネクタハウジング２とコネクタカバー５とが離間する方向へ付勢する弾性部材３１、３５を配置したことを特徴とする。【選択図】図１
2010092614.tif 000002
【特許請求の範囲】
【請求項１】
電線端末の端子金具が収容されるコネクタハウジングと、このコネクタハウジングの外周側を覆う外套フードと、前記コネクタハウジングの前記電線の引き出し側に装着されるコネクタカバーと、このコネクタカバーをコネクタハウジングに保持するロック手段とを備えたコネクタであって、
前記コネクタハウジングには電線引き出し側に前記コネクタカバーとの合わせ壁が設けられ、
前記コネクタカバーには、前記合わせ壁に当接する当接合わせ面が設けられ、
前記合わせ壁と前記当接合わせ面との間に、前記コネクタハウジングと前記コネクタカバーとが離間する方向へ付勢する弾性部材を配置したことを特徴とするコネクタ。
【請求項２】
請求項１記載のコネクタであって、
前記弾性部材は、前記合わせ壁と前記当接合わせ面の少なくとも一方に一体化されていることを特徴とするコネクタ。
【請求項３】
請求項１又は２記載のコネクタであって、
前記弾性部材は、コネクタハウジングの外周と前記外套フードの内周との間に挿入されるシール部材からなり、
前記合わせ壁には、相手コネクタとの嵌合面側の外側に貫通するパッキン突出孔が設けられ、
前記シール部材には、前記コネクタハウジングの外周と外套フードの内周との間に挿入された状態で前記パッキン突出孔から外側に突出する突起が設けられ、該突起は前記パッキン突出孔を貫通する突起軸部と、この突起軸部の先端側に設けられて前記合わせ壁とこの合わせ壁に当接する当接合わせ面との間で押し潰され前記コネクタカバーを前記コネクタハウジングから離れる方向へ付勢する突出部とによって形成されていることを特徴とするコネクタ。
【請求項４】
請求項３に記載のコネクタであって、
前記シール部材は、前記コネクタハウジングが挿入される開口が形成されたシール本体を有し、該シール本体の前記開口の四隅に前記突起がそれぞれ設けられていることを特徴とするコネクタ。
【請求項５】
請求項３又は４に記載のコネクタであって、
前記突出部は、前記突起軸部よりも大径の基端部と、この基端部より先端に向かって縮径する突端部とからなることを特徴とするコネクタ。
【発明の詳細な説明】
【技術分野】
【０００１】
本発明は、コネクタハウジングとコネクタカバーとを締結することによって形成されるコネクタに関する。
【背景技術】
【０００２】
コネクタハウジングの電線引き出し側にコネクタカバーが装着された従来のコネクタは、特許文献１に提案されている。コネクタハウジング及びコネクタカバーはいずれも樹脂によって形成されており、電線端末の端子金具を収容するコネクタハウジングに第１突起部及び第２溝部が形成され、コネクタカバーには、第１溝部及び第２突起部が形成されている。そして、コネクタハウジングの第１突起部にコネクタカバーの第１溝部が嵌合し、コネクタハウジングの第２溝部にコネクタカバーの第２突起部が嵌合するように、コネクタカバーをコネクタハウジングに組み付けることによりコネクタが組み立てられる。コネクタハウジングとコネクタカバーは、突起部及び溝部が嵌合しているため、コネクタハウジングとコネクタカバーとを分離させようとする振動等に対抗することが可能となる。
【特許文献１】特開２００３−１００３７９合公報
【発明の開示】
【発明が解決しようとする課題】
【０００３】
しかしながら、コネクタハウジング及びコネクタカバーが樹脂によって形成されているため、寸法のバラツキによってガタ付きが発生し易い問題を有している。
【０００４】
なお、ゴムからなる防水栓を有した電線が取り付けられるコネクタにおいては、防水栓の一部をコネクタハウジングの電線引き出し側から突出させておき、コネクタカバーをコネクタハウジングに装着するときに防水栓を押し潰すことによってコネクタハウジング及びコネクタカバーを離間する方向に付勢し、この付勢によってガタ付きを抑制するコネクタが存在しているが、このコネクタでは、コネクタハウジングとコネクタカバーとの合わせ面に隙間が生じるため、振動等によって合わせ面が相互に当たって削れる問題がある。
【０００５】
そこで、本発明は、樹脂からなるコネクタハウジング及びコネクタカバーの間のガタ付きを確実に抑制することができるコネクタを提供することを目的とする。
【課題を解決するための手段】
【０００６】
請求項１記載の発明のコネクタは、電線端末の端子金具が収容されるコネクタハウジングと、このコネクタハウジングの外周側を覆う外套フードと、前記コネクタハウジングの前記電線の引き出し側に装着されるコネクタカバーと、このコネクタカバーをコネクタハウジングに保持するロック手段とを備えたコネクタであって、前記コネクタハウジングには電線引き出し側に前記コネクタカバーとの合わせ壁が設けられ、前記コネクタカバーには、前記合わせ壁に当接する当接合わせ面が設けられ、  前記合わせ壁と前記当接合わせ面との間に、前記コネクタハウジングと前記コネクタカバーとが離間する方向へ付勢する弾性部材を配置したことを特徴とする。
【０００７】
請求項２記載の発明は、請求項１記載のコネクタであって、前記弾性部材は、前記合わせ壁と前記当接合わせ面の少なくとも一方に一体化されていることを特徴とする。
【０００８】
請求項３記載の発明は、請求項１又は２記載のコネクタであって、前記弾性部材は、前記コネクタハウジングの外周と前記外套フードの内周との間に挿入されるシール部材からなり、前記合わせ壁には、相手コネクタとの嵌合面側の外側に貫通するパッキン突出孔が設けられ、前記シール部材には、前記コネクタハウジングの外周と外套フードの内周との間に挿入された状態で前記パッキン突出孔から外側に突出する突起が設けられ、該突起は前記パッキン突出孔を貫通する突起軸部と、この突起軸部の先端側に設けられて前記合わせ壁とこの合わせ壁に当接する当接合わせ面との間で押し潰され前記コネクタカバーを前記コネクタハウジングから離れる方向へ付勢する突出部とによって形成されていることを特徴とする。
【０００９】
請求項４記載の発明は、請求項３に記載のコネクタであって、前記シール部材は、前記コネクタハウジングが挿入される開口が形成されたシール本体を有し、該シール本体の前記開口の四隅に前記突起がそれぞれ設けられていることを特徴とする。
【００１０】
請求項５記載の発明は、請求項３又は４に記載のコネクタであって、前記突出部は、前記突起軸部よりも大径の基端部と、この基端部より先端に向かって縮径する突端部とからなることを特徴とする。
【発明の効果】
【００１１】
本発明によれば、コネクタハウジングの合わせ壁と、コネクタカバーの当接合わせ面との間に配置された弾性部材がコネクタハウジングとコネクタカバーとを離間する方向に付勢するため、コネクタハウジングとコネクタカバーとの間のガタ付きを抑制することができる。又、防水栓を有する電線が適用されるコネクタであっても、コネクタハウジングとコネクタカバーとの間に弾性部材が介在しているため、振動等があっても振動等を吸収することができ、これによりコネクタハウジングとコネクタカバーとの合わせ面が削れることも抑制できる。
【発明を実施するための最良の形態】
【００１２】
以下、本発明を図示する実施形態により、具体的に説明する。なお、各実施形態において、同一の部材には同一の符号を付して対応させてある。
【００１３】
［第１実施形態］
図１〜図６は、本発明の第１実施形態を示し、図１は、この実施形態のコネクタの分解斜視図、図２は、コネクタの組み立て前の後側からの斜視図、図３は、図２に用いるコネクタカバーの斜視図、図４は、コネクタの組み立て後の後側からの斜視図、図５は、図４の状態におけるコネクタカバーの斜視図、図６は、コネクタの組み立て状態を示す断面図及び部分拡大断面図である。
【００１４】
この実施形態のコネクタ１は、コネクタハウジング２と、外套フード３と、コネクタカバー５とを備えている。コネクタハウジング２、外套フード３及びコネクタカバー５は、いずれも樹脂を射出成形することにより形成されている。
【００１５】
コネクタハウジング２には、電線端末の端子金具７が収容される。このため、コネクタハウジング２には、端子金具７を収容するための端子収容室１０が形成されている。端子金具７は電線６の端末に取り付けられており、電線６を図１に示す電線引き出し側（図１における右側）からコネクタハウジング２に挿入することにより、端子金具７が端子収容室１０に収容される。なお、この実施形態において、ゴムからなる防水栓８が取り付けられた電線６が用いられるものである。
【００１６】
コネクタハウジング２の電線引き出し側には、合わせ壁１１が一体形成されている。合わせ壁１１は、平板状となってコネクタハウジング２の横方向外側に伸びている。合わせ壁１１は、後述するコネクタカバー５を装着するためにコネクタカバー５と突き合わせられるものである。
【００１７】
外套フード３は、コネクタハウジング２の外周側を覆う筒状となっている。外套フード３の外面には、レバー１７が取り付けられる。レバー１７は、コネクタ１を相手コネクタに組み付けるために回動操作されるものである。レバー１７は、上下のレバー側板１７ａと、これらのレバー側板１７ａの一端側を連結する連結板１７ｂとによって形成されている。レバー１７を外套フード３に取り付けるため、外套フード３の上下面には、レバー回動支軸１９が突出すると共に、上下のレバー側板１７ａには、レバー回動支軸１９が挿入される軸孔２０が形成されている。
【００１８】
外套フード３における電線引き出し側の上下部分には、カバーロック孔２１が形成されている。カバーロック孔２１は、後述するコネクタカバー５を外套フード３に結合させた状態をロックするためのものであり、コネクタカバー５に設けられた係止アーム２３と対となってロック手段を構成する。
【００１９】
コネクタハウジング２と外套フード３との間には、リテーナ１３及びパッキン１５が配置される。リテーナ１３はコネクタハウジング２の端子収容室１０と連通する窓部１３ａを有している。
【００２０】
パッキン１５はリテーナ１３及びコネクタハウジング２が挿入されることにより、これらの周囲を覆うものであり、全体がゴムによって形成されている。パッキン１５はリテーナ１３及びコネクタハウジング２が挿入される筒状のシール本体１４と、シール本体１４の電線引き出し側に設けられたフランジ部１５ａとを有している。パッキン１５は、フランジ部１５ａがコネクタハウジング２の外周と外套フード３の内周との間に挿入されることにより防水を行うシール部材として機能する。
【００２１】
コネクタカバー５は、コネクタハウジング２における電線引き出し側に装着される。コネクタカバー５は、電線６が挿通された状態でコネクタハウジング２に取り付けられるものであり、後端面には電線挿通孔２５が形成されている。また、コネクタカバー５の内部には、空洞状の防水栓収容部２７が形成されている。さらに、コネクタカバー５の上下面には、上述したカバーロック孔２１と共にロック手段を構成する係止アーム２３が形成されている。係止アーム２３の先端部には、爪状の係止突起２３ａが形成されており、係止突起２３ａがカバーロック孔２１と係合することによりコネクタカバー５が外套フード３に結合する。
【００２２】
コネクタカバー５におけるコネクタハウジング２側には、当接合わせ面２９が形成されている。当接合わせ面２９は、コネクタハウジング２に形成された合わせ壁１１と対応する位置に設けられると共に合わせ壁１１と対応する面形状となるように形成されている。当接合わせ面２９が合わせ壁１１と当接することにより、コネクタカバー５がコネクタハウジング２の電線引き出し側に装着される。
【００２３】
図１及び図３に示すように、コネクタカバー５の当接合わせ面２９には、ゴムからなる弾性板３１が取り付けられている。弾性板３１は、当接合わせ面２９の全面を覆う平板状に形成されて、同面２９に接着されて一体となっている。コネクタカバー５をコネクタハウジング２に装着すると、弾性板３１が合わせ壁１１と当接合わせ面２９との間に挟まれて圧縮されるため、これらを離間する方向に付勢するように作用する。
【００２４】
以上の実施形態においては、コネクタカバー５の電線挿通孔２５を貫通した電線６を電線引き出し側からコネクタハウジング２に取り付ける一方、リテーナ１３及びパッキン１５を反対側から外套フード３に挿入する。その後、コネクタカバー５を電線６に沿ってコネクタハウジング２方向に相対的に移動させて防水栓８を防水栓収容部２７に収容しながら防水栓８を押し潰す。そして、図４に示すように、コネクタカバー５をコネクタハウジング２に装着する。
【００２５】
コネクタカバー５のコネクタハウジング２への装着に際しては、合わせ壁１１と当接合わせ面２９とが当接すると共に、コネクタカバー５における係止アーム２３の係止突起２３ａがコネクタハウジング２のカバーロック孔２１に係合する。そして、係止突起２３ａとカバーロック孔２１との係合により、コネクタカバー５がコネクタハウジング２の電線引き出し側に結合した状態となる。
【００２６】
上述した合わせ壁１１と当接合わせ面２９との当接により、コネクタカバー５の当接合わせ面２９に設けられた弾性板３１が、図５及び図６の拡大図で示すように圧縮される。この圧縮によって弾性板３１が反発するため、弾性体３１は、コネクタハウジング２とコネクタカバー５とが離間する方向へこれらを付勢する。従って、この付勢により、コネクタハウジング２とコネクタカバー５との間のガタ付きを抑制することができる。
【００２７】
又、この実施形態では、弾性板３１が振動等を吸収すると共に弾性板３１が合わせ壁１１及び当接合わせ面２９との間に介在しているため、振動等が作用しても合わせ壁１１及び当接合わせ面２９が擦れることがなく、これらが不用意に削れることがなくなる。
【００２８】
なお、この実施形態では、弾性板３１をコネクタカバー５側の当接合わせ面２９に取り付けているが、コネクタハウジング２の合わせ壁１１に取り付けてもよく、当接合わせ面２９及び合わせ壁１１の双方に取り付けてもよい。また、弾性板３１としては、接着以外の引っ掛けによって固定してもよく、固定することなくコネクタカバー５のコネクタハウジング２への装着時に合わせ壁１１及び当接合わせ面２９の間に挟み込んでもよい。
【００２９】
［第２実施形態］
図７〜図９は、本発明の第２実施形態を示し、図７は、パッキン１５とコネクタハウジング２の組み付け前の斜視図及び部分拡大斜視図、図８は、組み付け後の斜視図及び部分拡大斜視図、図９は、コネクタカバー５をコネクタハウジング２に組み付けた状態の斜視図及び部分拡大斜視図である。
【００３０】
この実施形態では、シール部材としてのパッキン１５に突起３５が一体形成されている。従って、突起３５は、パッキン１５と同様にゴムにより形成されている。突起３５は、パッキン１５のフランジ部１５ａにおけるコネクタハウジング２側の端面に形成されるものである。すなわち突起３５は、リテーナ１３及びコネクタハウジング２を挿入するためにシール本体１４に形成された開口１４ａの周囲に形成されるものである。かかる突起３５は、コネクタハウジング２方向に突出するように形成されている。この実施形態において、突起３５は、開口１４ａの周囲における四隅部分に形成されるものである。
【００３１】
一方、コネクタハウジング２の合わせ壁１１には、パッキン突出孔３７が形成されている。パッキン突出孔３７は、コネクタハウジング２の内側から相手コネクタとの嵌合面側の外側に向かって貫通するように合わせ壁１１に形成されている。パッキン突出孔３７は、突起３５が貫通するものであり、このため、突起３５との対応位置に突起３５と同数が形成される。
【００３２】
図７に示すように、パッキン１５の突起３５は、パッキン突出孔３７を貫通する突起軸部４０と、突起軸部４０の先端側に設けられた突出部４１とにより形成されている。突出部４１は、突起軸部４０よりも大径の基端部４１ａと、基端部４１ａの先端側に位置し、先端（コネクタカバー５）に向かって徐々に縮径する突端部４１ｂとによって形成されている。
【００３３】
この実施形態では、図７に示すように、パッキン１５をコネクタハウジング２及び外套フード３の先端側から挿入する。この挿入により、図８に示すように、突起３５の突起軸部４０をパッキン突出孔３７に貫通させる。パッキン突出孔３７を貫通することにより、突起３５の突出部４１がコネクタハウジング２の合わせ壁１１からコネクタカバー５の装着側に突出する。このように突出部４１が合わせ壁１１を貫通してコネクタカバー５側に突出することにより、パッキン１５のコネクタハウジング２からの脱落を防止することができる。
【００３４】
図９は、図８の後にコネクタカバー５を電線引き出し側からコネクタハウジング２に装着した状態を示す。コネクタカバー５の装着は、第１実施形態と同様に、コネクタカバー５側の係止アーム２３の係止突起２３ａがコネクタハウジング２側のカバーロック孔２１に係合することにより行われる。
【００３５】
コネクタカバー５の装着では、コネクタカバー５の当接合わせ面２９がコネクタハウジング２の合わせ壁１１に当接する。この当接により、突起３５の突出部４１は合わせ壁１１と当接合わせ面２９との間で押し潰され、反発するため、コネクタカバー５とコネクタハウジング２とを離間する方向に付勢する。従って、この付勢により、コネクタハウジング２とコネクタカバー５との間のガタ付きを抑制することができる。
【００３６】
又、突出部４１が合わせ壁１１及び当接合わせ面２９との間で押し潰されるため、振動等が作用してもこれらが擦れることがなく、合わせ壁１１及び当接合わせ面２９が不用意に削れることがなくなる。
【００３７】
なお、突起３５としてはコネクタハウジング２の合わせ壁１１を貫通すればよく、大径の基端部４１ａ及び先端に向かって縮径する突端部４１ｂを設けることなく、単一径の突起形状であってもよい。
【図面の簡単な説明】
【００３８】
【図１】本発明の第１実施形態におけるコネクタの分解斜視図である。
【図２】第１実施形態のコネクタの組み立て前の後側からの斜視図である。
【図３】図２に用いるコネクタカバーの斜視図である。
【図４】第１実施形態のコネクタの組み立て後の後側からの斜視図である。
【図５】図４の状態におけるコネクタカバーの斜視図である。
【図６】第１実施形態のコネクタの組み立て状態を示す断面図及び部分拡大断面図である。
【図７】本発明の第２実施形態におけるパッキンとコネクタハウジングの組み付け前の斜視図及び部分拡大斜視図である。
【図８】組み付け後の斜視図及び部分拡大斜視図である。
【図９】コネクタカバーをコネクタハウジングに組み付けた状態の斜視図及び部分拡大斜視図である。
【符号の説明】
【００３９】
１  コネクタ
２  コネクタハウジング
３  外套フード
５  コネクタカバー
６  電線
７  端子金具
１１  合わせ壁
１４  シール本体
１５  パッキン
２１  カバーロック孔
２３  係止アーム
２９  当接合わせ面
３１  弾性板
３５  突起
３７  パッキン突出孔
４０  突起軸部
４１  突出部
４１ａ  基端部
４１ｂ  突端部
【図１】
2010092614.tif 000003
【図２】
2010092614.tif 000004
【図３】
2010092614.tif 000005
【図４】
2010092614.tif 000006
【図５】
2010092614.tif 000007
【図６】
2010092614.tif 000008
【図７】
2010092614.tif 000009
【図８】
2010092614.tif 000010
【図９】
2010092614.tif 000011